(57)【要約】      （修正有）【課題】ＩＣカードの指紋センサに指を接触させる事で本人確認を行う際に、接触させる位置がずれたために正しく認識されないようなことが発生することがないように、適切にＩＣカードの指紋センサに指を接触させるためのガイドを生成する生成方法を提供する。【解決手段】撮影部４６においてＩＣカード１と略同形状に形成される被転写体２に転写された指の輪郭を読み取り、該輪郭に基づいて該ＩＣカード１の指紋センサに正しい位置で指を接触させるためのガイドを発行装置３０で生成する方法。【選択図】図１
2020131520.tif 000002
【特許請求の範囲】
【請求項１】
被転写体に転写された指の輪郭を読み取り、
前記輪郭に基づいて、ＩＣカードの指紋センサに指を接触させるためのガイドを生成する、
生成方法。
【請求項２】
前記被転写体を撮影した撮影画像を取得し、
前記撮影画像から、前記輪郭を読み取る、
前記請求項１に記載の生成方法。
【請求項３】
前記ガイドを前記ＩＣカードに印刷する、
前記請求項１又は２に記載の生成方法。
【請求項４】
前記輪郭の位置に対応する位置に配置される前記ガイドを生成する、
前記請求項１乃至３の何れか１項に記載の生成方法。
【請求項５】
前記ガイドは、前記指紋センサを囲うガイド線である、
前記請求項１乃至４の何れか１項に記載の生成方法。
【請求項６】
前記被転写体は、アルコールに反応する転写材を備え、前記アルコールの反応痕によって前記輪郭を転写される、
前記請求項１乃至５の何れか１項に記載の生成方法。
【請求項７】
前記被転写体は、圧力によって形状が変化する転写材を備え、
前記輪郭は、転写材の凹凸から読み取られる、
前記請求項１乃至５の何れか１項に記載の生成方法。
【請求項８】
前記被転写体は、
基板と、
前記基板において前記指が接触した領域に付着する転写材と、
を備える、
前記請求項１乃至５の何れか１項に記載の生成方法。
【請求項９】
前記ＩＣカードは、前記指紋センサを用いて指紋による認証処理を行う、
前記請求項１乃至８の何れか１項に記載の生成方法。
【発明の詳細な説明】
【技術分野】
【０００１】
本発明の実施形態は、生成方法に関する。
【背景技術】
【０００２】
ＩＣカードには、ユーザの指紋を読み取る指紋センサを備えるものがある。そのようなＩＣカードは、ユーザの指が指紋センサに接触すると、指紋センサを通じてユーザの指紋を読み取る。
【０００３】
しかしながら、従来、ＩＣカードは、ユーザの指の置き方などによって適切にユーザの指紋を読み取ることができないことがあるという課題がある。
【先行技術文献】
【特許文献】
【０００４】
【特許文献１】特開２００９−９４３４号公報
【発明の概要】
【発明が解決しようとする課題】
【０００５】
上記の課題を解決するために、適切にＩＣカードの指紋センサに指を接触させるガイドを生成する生成方法を提供する。
【課題を解決するための手段】
【０００６】
実施形態によれば、生成方法は、被転写体に転写された指の輪郭を読み取り、前記輪郭に基づいて、ＩＣカードの指紋センサに指を接触させるためのガイドを生成する。
【図面の簡単な説明】
【０００７】
【図１】図１は、実施形態に係る発行システムの構成例を示すブロック図である。
【図２】図２は、実施形態に係るＩＣカードの外面を示す図である。
【図３】図３は、実施形態に係るＩＣカードの構成例を示すブロック図である。
【図４】図４は、実施形態に係る被転写体の使用例を示す図である。
【図５】図５は、実施形態に係る被転写体の外面を示す図である。
【図６】図６は、実施形態に係る発行装置の動作例を示すフローチャートである。
【発明を実施するための形態】
【０００８】
以下、実施形態について、図面を参照して説明する。  
実施形態に係る発行システムは、ＩＣカードの指紋センサに指を接触させるためのガイドを発行する。ここでは、発行システムは、完成したＩＣカードにガイドを印刷することでガイドを発行する。
【０００９】
図１は、実施形態に係る発行システム１００の構成例を示すブロック図である。図１が示すように、発行システム１００は、ＩＣカード１、被転写体２及び発行装置３０などを備える。
【００１０】
ＩＣカード１は、後述する指紋センサ９を用いて所定の動作を行う。たとえば、ＩＣカード１は、指紋センサ９を通じてユーザの指紋を取得し、指紋による認証処理を行う。たとえば、ＩＣカード１は、キャッシュカード又はクレジットカードとして用いられる。ＩＣカード１については、後述する。
【００１１】
被転写体２は、ＩＣカード１を使用するユーザの指の輪郭が転写された部材である。被転写体２については、後述する。
【００１２】
発行装置３０は、被転写体２に転写された輪郭などに基づいてＩＣカード１に指を接触させるための後述するガイド１１を発行する。発行装置３０は、ＩＣカード１上にガイド１１を印刷する。
【００１３】
図１が示すように、発行装置３０は、プロセッサ３１、ＲＯＭ３２、ＲＡＭ３３、ＮＶＭ３４、入出力部３５、撮影部インターフェース３６、印刷部インターフェース３７、撮影部４６及び印刷部４７などを備える。
【００１４】
プロセッサ３１と、ＲＯＭ３２、ＲＡＭ３３、ＮＶＭ３４、入出力部３５、撮影部インターフェース３６及び印刷部インターフェース３７と、は、データバスなどを介して互いに接続する。撮影部インターフェース３６は、撮影部４６に接続する。印刷部インターフェース３７は、印刷部４７に接続する。
【００１５】
なお、発行装置３０は、図１が示すような構成の他に必要に応じた構成を具備したり、発行装置３０から特定の構成が除外されたりしてもよい。
【００１６】
プロセッサ３１は、発行装置３０全体の動作を制御する機能を有する。プロセッサ３１は、内部キャッシュ及び各種のインターフェースなどを備えてもよい。プロセッサ３１は、内部メモリ、ＲＯＭ３２又はＮＶＭ３４が予め記憶するプログラムを実行することにより種々の処理を実現する。
【００１７】
なお、プロセッサ３１がプログラムを実行することにより実現する各種の機能のうちの一部は、ハードウェア回路により実現されるものであってもよい。この場合、プロセッサ３１は、ハードウェア回路により実行される機能を制御する。
【００１８】
ＲＯＭ３２は、制御プログラム及び制御データなどが予め記憶された不揮発性のメモリである。ＲＯＭ３２に記憶される制御プログラム及び制御データは、発行装置３０の仕様に応じて予め組み込まれる。
【００１９】
ＲＡＭ３３は、揮発性のメモリである。ＲＡＭ３３は、プロセッサ３１の処理中のデータなどを一時的に格納する。ＲＡＭ３３は、プロセッサ３１からの命令に基づき種々のアプリケーションプログラムを格納する。また、ＲＡＭ３３は、アプリケーションプログラムの実行に必要なデータ及びアプリケーションプログラムの実行結果などを格納してもよい。
【００２０】
ＮＶＭ３４は、データの書き込み及び書き換えが可能な不揮発性のメモリである。ＮＶＭ３４は、たとえば、ＨＤＤ（Hard Disk Drive）、ＳＳＤ（Solid State Drive）又はフラッシュメモリなどから構成される。ＮＶＭ３４は、発行装置３０の運用用途に応じて制御プログラム、アプリケーション及び種々のデータなどを格納する。
【００２１】
入出力部３５は、発行装置３０の操作者によって、種々の指示が入力される。入出力部３５は、操作者に入力された指示を示す信号をプロセッサ３１へ送信する。入出力部３５は、操作部として、たとえば、キーボード、テンキー及びタッチパネルなどを備える。
【００２２】
また、入出力部３５は、発行装置３０の操作者に対して、種々の情報を表示する。即ち、入出力部３５は、プロセッサ３１からの信号に基づいて、種々の情報を示す画面を表示する。入出力部３５は、表示部として、たとえば、液晶ディスプレイなどを備える。
【００２３】
撮影部インターフェース３６は、撮影部４６とデータを送受信するためのインターフェースである。撮影部インターフェース３６は、撮影部４６が撮影した画像などをプロセッサ３１に送信する。また、撮影部インターフェース３６は、撮影部４６に電力を供給するものであってもよい。
【００２４】
印刷部インターフェース３７は、印刷部４７とデータを送受信するためのインターフェースである。印刷部インターフェース３７は、プロセッサ３１からの印刷データを印刷部４７に送信する。また、印刷部インターフェース３７は、印刷部４７に電力を供給するものであってもよい。
【００２５】
撮影部４６は、被転写体２を撮影する。撮影部４６は、被転写体２において指の輪郭が転写された面を撮影する。撮影部４６は、撮影部インターフェース３６を通じて、撮影した画像をプロセッサ３１に送信する。
【００２６】
たとえば、撮影部４６は、ＣＣＤ（Charge Coupled Device）カメラから構成される。また、撮影部４６は、被転写体２を照らすライトなどを備えてもよい。
【００２７】
印刷部４７は、印刷データに基づいてＩＣカード１にガイド１１を印刷する。印刷部４７は、ＩＣカード１の指紋センサが形成される面にガイド１１を印刷する。たとえば、印刷部４７は、インクジェット方式でＩＣカード１にガイド１１を印刷する。即ち、印刷部４７は、インクを吐出する吐出部から形成される。印刷部４７は、吐出部からインクを吐出しＩＣカード１にガイド１１を印刷する。
【００２８】
また、印刷部４７は、オフセット印刷を行うものであってもよい。印刷部４７の構成は、特定の構成に限定されるものではない。
【００２９】
次に、ＩＣカード１について説明する。
【００３０】
図２は、実施形態のＩＣカード１の一例を示す外観図である。
【００３１】
図２に示すように、ＩＣカード１は、指紋センサ９と、ＩＣモジュール１０と、ガイド１１と、カード基材ＰＴと、を備える。ＩＣモジュール１０は、コンタクト部３と、内部にＩＣチップ２０と、を備える。
【００３２】
ＩＣカード１は、例えば、プラスチックのカード基材ＰＴ（カード本体の一例）に、ＩＣモジュール１０及び指紋センサ９を実装して形成されている。即ち、ＩＣカード１は、ＩＣモジュール１０と、指紋センサ９と、ＩＣモジュール１０及び指紋センサ９が埋め込まれたカード基材ＰＴと、ガイド１１とを備える。また、ＩＣカード１は、コンタクト部３を介して外部装置と通信可能である。
【００３３】
なお、実施形態では、携帯可能電子装置の一例として、ＩＣカード１について説明する。
【００３４】
ＩＣカード１は、例えば、外部装置が送信したコマンド（処理要求）を、コンタクト部３を介して受信し、受信したコマンドに応じた処理（コマンド処理）を実行する。そして、ＩＣカード１は、コマンド処理の実行結果であるレスポンス（処理応答）を外部装置にコンタクト部３を介して送信する。
【００３５】
ここで、外部装置は、ＩＣカード１と通信する装置であり、例えば、リーダ／ライタ装置又は登録装置などである。
【００３６】
ＩＣモジュール１０は、コンタクト部３と、ＩＣチップ２０とを備える。ＩＣモジュール１０は、例えば、テープ上にＩＣモジュール１０が複数配置されたＣＯＴ（Chip On Tape）などの形態で取引されるモジュールである。なお、テープから個片抜きして切り離した単体のＩＣモジュール１０をＣＯＴという場合がある。
【００３７】
コンタクト部３は、ＩＣカード１が動作するために必要な各種信号の端子を有している。ここで、各種信号の端子には、電源電圧、クロック信号並びにリセット信号などを外部装置から供給を受ける端子、及び、外部装置と通信するためのシリアルデ―タ入出力端子（ＳＩＯ端子）が含まれる。
【００３８】
ＩＣチップ２０は、例えば、１チップのマイクロプロセッサなどのＬＳＩ（Large Scale Integration）である。
【００３９】
指紋センサ９は、ユーザの指ＦＧから指ＦＧの指紋を示す指紋情報を検出する。指紋センサ９は、例えば、静電容量型、感熱型又は光学型などの方式で指ＦＧから指紋情報を取得する。
【００４０】
ガイド１１は、カード基材ＰＴ上に印刷される。ガイド１１は、指紋センサ９が指紋情報を検出する際にカード基材ＰＴ上において指ＦＧを接触させる位置を示す。たとえば、ガイド１１は、指ＦＧの所定の領域（たとえば、指紋が形成される領域）が指紋センサ９に接触するように、指ＦＧを接触させる位置を示す。
【００４１】
ガイド１１は、例えば、図２に示すように、ユーザの指ＦＧを沿わせて接触させる位置を誘導するガイド線である。即ち、ガイド１１は、カード基材ＰＴ上のガイド線により、ユーザが指ＦＧを接触させる位置（ユーザの指ＦＧと指紋センサ９との位置関係）が一定になるように誘導する。図１が示す例では、ガイド１１は、指紋センサ９を囲うように形成されるガイド線である。
【００４２】
次に、ＩＣカード１の構成例について説明する。
【００４３】
図３は、ＩＣカード１の構成例を示すブロック図である。
【００４４】
図３に示すように、ＩＣカード１は、コンタクト部３と、ＩＣチップ２０とを備えたＩＣモジュール１０と、指紋センサ９と、照合プロセッサ１２とを備える。ＩＣチップ２０は、ＵＡＲＴ（Universal Asynchronous Receiver Transmitter）４と、プロセッサ５と、ＲＯＭ６と、ＲＡＭ７と、ＮＶＭ８とを備える。これらの構成要素は、内部バスＢＳ１を介して互いに接続されている。
【００４５】
ＵＡＲＴ４は、上述したＳＩＯ端子を介して、外部装置とシリアルデータ通信を行う。ＵＡＲＴ４は、ＳＩＯ端子を介して受信したシリアルデータ信号をパラレル変換したデータ（例えば、１バイトのデータ）を内部バスＢＳ１に出力する。また、ＵＡＲＴ４は、内部バスＢＳ１を介して取得したデータをシリアル変換して、ＳＩＯ端子を介して外部装置に出力する。ＵＡＲＴ４は、例えば、ＳＩＯ端子を介してコマンドを外部装置から受信する。また、ＵＡＲＴ４は、ＳＩＯ端子を介してレスポンスを外部装置に送信する。
【００４６】
プロセッサ５は、ＲＯＭ６又はＮＶＭ８に記憶されているプログラムを実行して、ＩＣカード１の各種処理を行う。プロセッサ５は、例えば、コンタクト部３を介して、ＵＡＲＴ４が受信したコマンドに応じたコマンド処理を実行する。
【００４７】
ＲＯＭ６は、例えば、マスクＲＯＭなどの不揮発性メモリであり、ＩＣカード１の各種処理を実行するためのプログラム及びコマンドテーブルなどのデータを記憶する。
【００４８】
ＲＡＭ７は、例えば、ＳＲＡＭ（Static RAM）などの揮発性メモリであり、ＩＣカード１の各種処理を行う際に利用されるデータを一時記憶する。
【００４９】
ＮＶＭ８は、例えば、電気的に書き換え可能な不揮発性メモリである。ＮＶＭ８は、ＩＣカード１が利用する各種データを記憶する。ＮＶＭ８は、例えば、ＩＣカード１を利用した各種サービス（アプリケーション）に使用される情報又は生体認証用の指紋情報などを記憶する。
【００５０】
照合プロセッサ１２は、例えば、プロセッサとプログラムメモリとを含む。照合プロセッサ１２は、専用線などで指紋センサ９と接続され、指紋センサ９が指紋情報を取得可能な状態（通電状態）であるか否かを検知する。
【００５１】
照合プロセッサ１２は、ユーザの指紋情報の登録処理において、指紋センサ９により取得されたユーザの指紋情報をＩＣモジュール１０に出力し、指紋情報をＩＣモジュール１０に保持させる。なお、照合プロセッサ１２は、指紋センサ９が検出した指紋の画像情報の特徴量を抽出し、当該特徴量を、指紋情報として、ＩＣモジュール１０に出力してもよい。
【００５２】
また、照合プロセッサ１２は、ユーザを認証する際の照合処理において、指紋センサ９
により取得されたユーザの指紋情報と、ＩＣモジュール１０内に保持された指紋情報とを照合することで、ユーザの認証を行い、認証結果をＩＣモジュール１０に出力する。なお、照合プロセッサ１２は、取得されたユーザの指紋情報の特徴量を抽出し、ＩＣモジュール１０内に保持された指紋情報の特徴量と比較することで、ユーザの認証を行ってもよい。
【００５３】
なお、ＩＣカード１は、図２及び図３が示すような構成の他に必要に応じた構成を具備したり、ＩＣカード１から特定の構成が除外されたりしてもよい。
【００５４】
次に、被転写体２について説明する。
【００５５】
被転写体２は、発行装置３０がガイド１１を印刷するためにユーザの指ＦＧの輪郭を転写された部材である。
【００５６】
図４は、被転写体２に輪郭が転写される動作例を示す図である。図４が示すように、被転写体４は、基板２１と転写材２２とから構成される。
【００５７】
基板２１は、所定の大きさに形成された矩形の部材である。たとえば、基板２１は、プラスチック又は金属などから形成される。基板２１は、ＩＣカード１の大きさ及び形状と同様の大きさ及び形状に形成される。
【００５８】
基板２１の片面（図４において前面）には、転写材２２が塗布される。転写材２２は、基板２１の全面に塗布されてもよいし、一部に塗布されてもよい。
【００５９】
転写材２２は、ユーザの指ＦＧの輪郭を転写される部材である。転写材２２は、指ＦＧが押し当てられると指ＦＧの輪郭の形状を写し取る。即ち、転写材２２は、指ＦＧが接触した領域が変化する部材である。
【００６０】
たとえば、転写材２２は、アルコールに反応する材料から構成される。転写材２２は、アルコールによって融解するプラスチック又はアルコールによって色が変化する感熱紙などから構成される。
【００６１】
この場合、ユーザは、指ＦＧにエタノールなどのアルコールを塗布した状態で転写材２２に押し当てる。その結果、転写材２２は、指ＦＧが押し当てられた領域においてアルコールと反応する。転写材２２は、アルコールの反応痕によって、指ＦＧの輪郭を転写される。
【００６２】
また、転写材２２は、圧力によって形状が変化する材料から構成されてもよい。たとえば、転写材２２は、粘土などから構成される。
【００６３】
この場合、ユーザは、転写材２２の形状が変化する力で転写材２２に指ＦＧを押し当てる。その結果、転写材２２の形状は、指ＦＧが押し当てられた領域において変化する（たとえば、凹む）。転写材２２は、形状の変化によって、指ＦＧの輪郭を転写される。
【００６４】
また、この場合、基板２１には、予め転写材２２が塗布されていなくともよい。ユーザは、基板２１に指ＦＧを押し当てた状態で指ＦＧの周囲に転写材２２を貼り付けてもよい。
【００６５】
また、転写材２２は、指ＦＧが押し当てられた領域に形成されるものであってもよい。たとえば、ユーザは、指ＦＧにエタノールなどのアルコールを塗布した状態で基板２１に押し当てる。その後、ユーザ又はオペレータは、アルコールに付着する転写材２２（粉末など）を基板２１に振りかける。その結果、基板２１において指ＦＧが押し当てられた領域（指の輪郭の内部）に転写材２２が付着する。  
なお、転写材２２の構成は、特定の構成に限定されるものではない。
【００６６】
図３が示すように、ユーザは、自身の指ＦＧを被転写体２の所定の領域に押し当てる。たとえば、ユーザは、被転写体２においてＩＣカード１の指紋センサ９が形成されている領域に対応する領域に指ＦＧを押し当てる。即ち、ユーザは、指紋センサ９が形成されている領域に対応する領域を含むように指ＦＧを押し当てる。
【００６７】
ユーザが指ＦＧを押し当てると、被転写体２には、指ＦＧの輪郭が転写される。
【００６８】
図４は、指ＦＧの輪郭が転写された被転写体２の例を示す。図４が示すように、被転写体２には、輪郭２３が形成される。輪郭２３は、図３においてユーザが指ＦＧを押し当てた領域の輪郭である。
【００６９】
転写材２２がアルコールに反応する材料から構成される場合、輪郭２３は、アルコールの反応痕によって形成される。即ち、輪郭２３は、アルコールと反応していない領域とアルコールと反応した領域との境界線として形成される。
【００７０】
また、転写材２２が圧力によって形状が変化する材料から構成される場合、輪郭２３は、転写材２２の凹凸によって形成される。即ち、輪郭２３は、転写材２２が凹んだ領域（又は、転写材２２がない領域）の輪郭として形成される。
【００７１】
また、転写材２２が、指ＦＧが押し当てられた領域に付着する場合、輪郭２３は、転写材２２が付着する領域の輪郭として形成される。
【００７２】
次に、発行装置３０が実現する機能について説明する。発行装置３０が実現する機能は、プロセッサ３１がＲＯＭ３２又はＮＶＭ３４などに格納されるプログラムを実行することで実現される。
【００７３】
まず、プロセッサ３１は、輪郭２３が転写された被転写体２を撮影した撮影画像を取得する機能を有する。
【００７４】
ここでは、ユーザ又はオペレータは、撮影部４６が撮影可能な位置に被転写体２をセットする。
【００７５】
プロセッサ３１は、撮影部４６を用いて、輪郭２３が転写された被転写体２を撮影する。たとえば、プロセッサ３１は、入出力部３５を通じて、被転写体２を撮影する操作の入力を受け付ける。プロセッサ３１は、当該操作の入力を受け付けると、撮影部４６を用いて、被転写体２を撮影し、撮影画像を取得する。
【００７６】
また、プロセッサ３１は、撮影部４６が撮影した画像などに基づいて所定の領域に被転写体２がセットされたことを検知してもよい。プロセッサ３１は、被転写体２が所定の領域にセットされたことを検知すると、被転写体２を撮影し撮影画像を取得してもよい。
【００７７】
また、プロセッサ３１は、撮影画像から指ＦＧの輪郭２３を読み取る機能を有する。
【００７８】
プロセッサ３１は、所定の画像処理によって、撮影画像から被転写体２に転写された輪郭２３を読み取る。たとえば、プロセッサ３１は、所定のエッジ検出処理などを用いて、輪郭２３を読み取る。
【００７９】
たとえば、プロセッサ３１は、特開昭62-75205、特許第3311127号、特許第3468869号又は特許第3490482号などに開示される技術によって、輪郭２３を読み取る。
【００８０】
なお、プロセッサ３１が輪郭２３を読み取る手法は、特定の構成に限定されるものではない。
【００８１】
また、プロセッサ３１は、読み取った輪郭２３に基づいてガイド１１を生成する機能を有する。
【００８２】
即ち、プロセッサ３１は、ガイド１１を印刷するための印刷データを生成する。
【００８３】
プロセッサ３１は、輪郭２３及び輪郭２３の位置に基づいてガイド１１を生成する。プロセッサ３１は、輪郭２３に所定の画像処理を行ってガイド１１の形状を決定する。また、プロセッサ３１は、輪郭２３の位置に対応した位置に配置されるガイド１１を生成する。
【００８４】
たとえば、プロセッサ３１は、輪郭２３を滑らかにした線をガイド１１として生成する。また、プロセッサ３１は、被転写体２から読み取れなかった部分（たとえば、輪郭２３が途切れた部分）を補完してガイド１１を生成してもよい。
【００８５】
なお、プロセッサ３１がガイド１１を生成する方法は、特定の構成に限定されるものではない。
【００８６】
また、プロセッサ３１は、印刷部４７を用いて、生成したガイド１１を印刷（発行）する機能を有する。
【００８７】
たとえば、ユーザ又はオペレータは、印刷部４７が印刷可能な位置に、ガイド１１が印刷されていないＩＣカード１をセットする。
【００８８】
ＩＣカード１がセットされると、プロセッサ３１は、印刷部インターフェース３７を通じて、ガイド１１（印刷データ）を印刷部４７に送信する。印刷部４７は、印刷データに基づいてガイド１１をＩＣカード１の所定の面（指紋センサ９が露出する面）に印刷する。
【００８９】
また、プロセッサ３１は、搬送部などを用いて、格納部からＩＣカード１を取り出し、印刷部４７が印刷可能な位置まで搬送してもよい。当該位置までＩＣカード１を搬送すると、プロセッサ３１は、印刷部４７を用いてＩＣカード１にガイド１１を印刷する。
【００９０】
次に、発行装置３０の動作例について説明する。
【００９１】
図６は、発行装置３０の動作例について説明するためのフローチャートである。
【００９２】
ここでは、被転写体２は、撮影部４６が撮影可能な位置にセットされているものとする。
【００９３】
まず、発行装置３０のプロセッサ３１は、撮影部４６を用いて、被転写体２を撮影した撮影画像を取得する（Ｓ１１）。撮影画像を取得すると、プロセッサ３１は、撮影画像に基づいて、被転写体２に転写された輪郭２３を読み取る（Ｓ１２）。
【００９４】
輪郭２３を読み取ると、プロセッサ３１は、読み取った輪郭２３に基づいて、ガイド１１を生成する（Ｓ１３）。ガイド１１を生成すると、プロセッサ３１は、印刷部４７を用いて、ＩＣカード１にガイド１１を印刷する（Ｓ１４）。ＩＣカード１にガイド１１を印刷すると、プロセッサ３１は、動作を終了する。
【００９５】
なお、発行装置３０のプロセッサ３１は、外部装置から、被転写体２を撮影した撮影画像を取得してもよい。たとえば、プロセッサ３１は、携帯端末などのカメラで撮影した撮影画像を取得してもよい。
【００９６】
また、プロセッサ３１は、外部装置にガイド１１を送信してもよい。たとえば、プロセッサ３１は、ガイド１１を発行する外部装置にガイド１１を送信してもよい。
【００９７】
また、ＩＣカード１が複数の層から構成される場合、発行装置３０は、ＩＣカード１の外層（指紋センサ９が露出する面を形成する層）を構成する部材を発行するものであってもよい。発行装置３０のプロセッサ３１は、ＩＣカード１の外層を構成する部材にガイド１１を印刷してもよい。
【００９８】
また、発行装置３０は、ガイド１１をＩＣカード１に貼り付けるためのシールを発行してもよい。この場合、印刷部４７は、シールにガイド１１を印刷する。たとえば、プロセッサ３１は、印刷部４７を用いて、所定のシールにガイド１１を印刷する。また、発行装置３０は、シールを所定の形状にカット（又は、切り取り線を形成）するカット部を備えてもよい。プロセッサ３１は、ガイド１１の形状に合わせてシールをカット（又は、切り取り線を形成）してもよい。
【００９９】
また、被転写体２は、指ＦＧの指紋を転写されるものであってもよい。この場合、プロセッサ３１は、被転写体２から指紋を読み取ってもよい。また、プロセッサ３１は、読み取った指紋を含むガイドを生成してもよい。
【０１００】
以上のよう構成された発行装置は、ユーザの指の輪郭を転写された被転写体の撮影画像を取得する。発行装置は、撮影画像から輪郭を読み取る。発行装置は、読み取った輪郭に基づいて指を指紋センサに接触させるためにガイドを生成し、ＩＣカードに印刷する。その結果、発行装置は、適切に指を指紋センサに接触させることができるＩＣカードを発行することができる。
【０１０１】
たとえば、ＩＣカードは、指紋の登録処理においてガイドに沿って指を指紋センサに接触させる。また、ＩＣカードは、指紋の認証処理においても同様にガイドに沿って指を指紋センサに接触させる。その結果、ＩＣカードは、登録処理及び認証処理の両者において同様の態様で指を指紋センサに接触させることができる。よって、ＩＣカードは、適切に認証処理を行うことができる。
【０１０２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０３】
１…ＩＣカード、２…被転写体、３…コンタクト部、４…被転写体、５…プロセッサ、６…ＲＯＭ、７…ＲＡＭ、８…ＮＶＭ、９…指紋センサ、１０…ＩＣモジュール、１１…ガイド、１２…照合プロセッサ、２０…ＩＣチップ、２１…基板、２２…転写材、２３…輪郭、３０…発行装置、３１…プロセッサ、３２…ＲＯＭ、３３…ＲＡＭ、３４…ＮＶＭ、３５…入出力部、３６…撮影部インターフェース、３７…印刷部インターフェース、４６…撮影部、４７…印刷部、１００…発行システム、ＦＧ…指、ＰＴ…カード基材。
【図１】
2020131520.tif 000003
【図２】
2020131520.tif 000004
【図３】
2020131520.tif 000005
【図４】
2020131520.tif 000006
【図５】
2020131520.tif 000007
【図６】
2020131520.tif 000008